(57)【要約】  【課題】  脚部と底板等とを一体化させることによって、強度向上を図ったパレットを提供する。  【解決手段】  底板ユニットＢＵまたは天板ユニットＴＵを構成する折曲部材の端部における少なくとも一端には、脚部形成領域が設けられている。そして、この脚部形成領域には、複数の部分片から成る第１領域と、複数の部分片から成る第２領域とが、少なくとも設けられている。そして、この第１領域を構成する複数の部分片が折り曲げられることで、脚部Ｆの内部を成す支持体が組立られる一方、第２領域を構成する複数の部分片によって、この支持体は被覆されるようになっている。そして、この被覆された支持体が、底板Ｂまたは天板Ｔに対して立ち上がるようにされることで、脚部が完成する。【選択図】      図１
2006082856.tif 000002
【特許請求の範囲】
【請求項１】
底板、天板、およびこの天板と底板との間に介在する脚部から構成され、さらに上記の底板、天板、および脚部における少なくとも一つが、折り曲げ可能な折曲部材にて形成されたパレットにおいて、
上記の底板および脚部、あるいは上記の天板および脚部が、一枚状の上記折曲部材によって形成されるとともに、この折曲部材の端部における少なくとも一端には、脚部形成領域が設けられており、
この脚部形成領域には、部分片から成る第１領域と第２領域とが、少なくとも設けられ、
上記第１領域を構成する部分片から、上記脚部の内部を成す支持体を形成させる一方、
上記第２領域を構成する部分片によって、この支持体を被覆するとともに、この支持体を、上記の底板または天板に対して立ち上げることで、上記脚部を形成させていることを特徴とするパレット。
【請求項２】
上記脚部形成領域において、上記第１領域が複数設けられるとともに、上記第２領域も複数設けられていることを特徴とする請求項１に記載のパレット。
【請求項３】
上記の複数設けられた第１領域および第２領域から構成された脚部が、パレットにおける全ての脚部となっていることを特徴とする請求項１または２に記載のパレット。
【請求項４】
上記の一枚状の上記折曲部材における底板または天板と、脚部形成領域との境界線における両端のうち、一端に複数の部分片から成る第１短辺部、および他端に複数の部分片から成る第２短辺部が、境界線に対して垂直方向に延びるように設けられるとともに、
上記境界線から最も離間した上記の第１短辺部および第２短辺部の部分片同士をつなげるような梁部が設けられ、
さらに、上記梁部とつながった上記第１短辺部の部分片から、境界線と同方向で上記第２短辺部へと延びるように、複数の部分片から成る第１長辺部が設けられるとともに、
上記境界線とつながった上記第２短辺部の部分片から、境界線と同方向で上記第１短辺部へと延びるように、複数の部分片から成る第２長辺部が設けられ、
加えて、上記第１短辺部から最も離間した上記第１長辺部の部分片につながるとともに、複数の部分片から成る第１付加部が設けられるとともに、
上記第２短辺部から最も離間した上記第２長辺部の部分片につながるとともに、複数の部分片から成る第２付加部が設けられ、
上記の第１短辺部および第１長辺部と、上記の第２短辺部および第２長辺部と、上記梁部とを、上記第２領域とする一方、上記の第１付加部および第２付加部を上記第１領域とし、
上記の第１付加部を構成する部分片を折り曲げて筒状とすることで、上記支持体を形成させつつ、この支持体に、上記第１長辺部を巻き付けて被覆させる一方、
上記の第２付加部を構成する部分片を折り曲げて筒状とすることで、上記支持体を形成させつつ、この支持体に、上記第２長辺部を巻き付けて被覆させ、
続いて、第１長辺部で被覆された支持体に上記第１短辺部および上記梁部の一端を巻き付けて被覆させつつ、上記の底板または天板に対して、この支持体を立設させるとともに、
第２長辺部で被覆された支持体に上記第２短辺部および上記梁部の他端を巻き付けて被覆させつつ、上記の底板または天板に対して、この支持体を立設させることで、上記脚部を形成させていることを特徴とする請求項２または３に記載のパレット。
【請求項５】
上記第２領域と成る複数の部分片の１つが、上記の一枚状の上記折曲部材における底板または天板と、脚部形成領域との境界線における両端の間につながるとともに、この第２領域における他の複数の部分片が、上記境界線に対して同方向に連なるように形成されている一方、
上記第１領域と成る複数の部分片の１つが、上記境界線とつながった上記第２領域の部分片とつながるとともに、この第１領域における他の複数の部分片が、上記境界線に対して同方向に連なるように形成されており、
上記第１領域を構成する複数の部分片を折り曲げて筒状とすることで、上記支持体を形成させる一方、
上記第２領域を構成する複数の部分片によって、この支持体を被覆するとともに、この支持体を、上記の底板または天板に対して立設させることで、上記脚部を形成させていることを特徴とする請求項１に記載のパレット。
【請求項６】
上記の一枚状の上記折曲部材における底板または天板と、脚部形成領域との境界線における両端のうちの一端に、複数の部分片をつなげて構成することでほぼＬ字状とした第１Ｌ字部の短手の端部がつなげられる一方、
この第１Ｌ字部の長手の端部と、上記境界線の他端とをつなげるとともに、上記の第１Ｌ字部の短手に向かって延びるように、複数の部分片から成る第１延成部が設けられ、
さらに、上記第１Ｌ字部の長手の端部に、複数の部分片をつなげて構成することでほぼＬ字状とした第２Ｌ字部の短手の端部がつなげられる一方、
この第２Ｌ字部の長手の端部と、上記第１Ｌ字部の屈曲部とをつなげるとともに、上記の第２Ｌ字部の短手に向かって延びるように、複数の部分片から成る第２延成部が設けられ、
上記の第１Ｌ字部および第２Ｌ字部を上記第２領域とする一方、上記の第１延成部および第２延成部を上記第１領域とし、
上記の第１延成部を構成する部分片を折り曲げて筒状とすることで、上記支持体を形成させ、この支持体に、上記第１Ｌ字部の長手の端部、上記第２Ｌ字部の短手、および上記第２Ｌ字部の屈曲部を巻き付けて被覆させるとともに、
上記の第２延成部を構成する部分片を折り曲げて筒状とすることで、上記支持体を形成させ、この支持体に、上記第１Ｌ字部の短手、上記第１Ｌ字部の屈曲部、および上記第２Ｌ字部の長手の端部を巻き付けて被覆させることで、
上記の底板または天板に対して、これらの支持体を立設させて、上記脚部を形成させていることを特徴とする請求項２または３に記載のパレット。
【請求項７】
上記支持体を構成する上記第１領域の複数の部分片同士が、解離しないように、上記第１領域の部分片に解離防止セットを設けたことを特徴とする請求項１〜６のいずれか１項に記載のパレット。
【請求項８】
上記解離防止セットは、上記第１領域の部分片の一端に設けられた開孔部と、上記第１領域の部分片の他端に設けられた突起部とから構成されており、この突起部が開孔部に係合することによって、上記第１領域の複数の部分片同士が解離しないようになっていることを特徴とする請求項７に記載のパレット。
【請求項９】
底板、天板、およびこの天板と底板との間に介在する脚部から構成され、さらに上記の底板、天板、および脚部における少なくとも一つが、折り曲げ可能な折曲部材にて形成されたパレットにおいて、
上記の底板および脚部、あるいは上記の天板および脚部が、一枚状の上記折曲部材によって形成されるとともに、この折曲部材の端部における少なくとも一端には、脚部形成領域が設けられており、
この脚部形成領域には、開口が設けられるとともに、この開口を塞ぐように、開口の周囲に、複数の塞部材が設けられており、
さらに、上記の各塞部材は、母体部分と、子体部分とから構成されており、
上記母体部分が、上記脚部の内部を成す支持体となる一方、上記子体部分が、上記支持体を覆うようにして、上記支持体を保護し、
加えて、上記開口の外周端が、保護された上記支持体を、さらに、保護することで、上記脚部を形成させていることを特徴とするパレット。
【請求項１０】
底板、天板、およびこの天板と底板との間に介在する脚部から構成され、さらに上記の底板、天板、および脚部における少なくとも一つが、折り曲げ可能な折曲部材にて形成されたパレットにおいて、
上記の底板および脚部、あるいは上記の天板および脚部が、一枚状の上記折曲部材によって形成されるとともに、この折曲部材の周囲において、複数の脚部形成領域が設けられており、
各脚部形成領域は、母体部分と、子体部分とから構成されており、
上記母体部分が、上記脚部の内部を成す支持体となる一方、上記子体部分が、上記支持体を覆うようにして、上記支持体を保護することで、上記脚部を形成させていることを特徴とするパレット。
【請求項１１】
底板、天板、およびこの天板と底板との間に介在する脚部から構成され、さらに上記の底板、天板、および脚部における少なくとも一つが、折り曲げ可能な折曲部材にて形成されたパレットにおいて、
上記の底板および脚部、あるいは上記の天板および脚部が、一枚状の上記折曲部材によって形成されるとともに、この折曲部材の端部における少なくとも一端には、脚部形成領域が設けられており、
この脚部形成領域には、複数の開口が設けられるとともに、この各開口を塞ぐように、開口の周囲に、塞部材が設けられており、
さらに、上記の各塞部材が、上記脚部の内部を成す支持体となる一方、上記開口の外周端が、上記支持体を覆うようにして、上記支持体を保護することで、上記脚部を形成させていることを特徴とするパレット。
【発明の詳細な説明】
【技術分野】
【０００１】
本発明は、貨物等を搬送するときに使用する搬送台（パレット）に関するものである。
【背景技術】
【０００２】
従来、大型の貨物（例えば、コピー機や産業用大型機器等）を搬送・運搬する場合、フォークリフト等が使用される。この搬送のとき、フォークリフトのアームを直接、貨物等に接触させることは、貨物等の破損につながり好ましくない。そこで、貨物等を載置させるとともに、フォークリフトのアームの挿入空間を有した搬送台（パレット）が利用されている。
【０００３】
このようなパレットがダンボール等の紙製である場合、通常、図１６に示すように、脚部ＵＦの両面に接着剤を塗りつけ、底板ＵＢと天板ＵＴとを接着するようにしてパレット１８９は、製造されている（特許文献１）。そして、このようなパレット１８９は重量の重い貨物等を載置させるため、ポイントとなるのは、各部材（底板ＵＢ・天板ＵＴ・脚部ＵＦ）の強度等となる。
【０００４】
そこで、特許文献１の発明は、図１７に示すように、脚部ＵＦの強度等の向上を図るべく、細片状のダンボールを巻き付けることで（巻回しすることで）、柱状体を形成させるとともに、その柱状体内部に除湿剤を挿入させ、さらに、柱状体自体を防湿包装体１００で被覆することで、強度・耐湿度をともに向上させた脚部ＵＦとしている。
【特許文献１】特開平９−５８６８４号公報（図１・図６参照）
【発明の開示】
【発明が解決しようとする課題】
【０００５】
しかしながら、特許文献１の発明では、脚部ＵＦ単体としての強度等は向上するものの、接着剤等を用いて、この脚部ＵＦと、底板ＵＢ・天板ＵＴとをつなぎ合わせてパレット１８９を完成させている。そのため、底板ＵＢ等と脚部ＵＦとの接続強度（連結強度）は、接着剤等の接着強度に依存することになる。
【０００６】
このような場合、例え脚部ＵＦの強度を向上させたとしても、紙製の底板ＵＢ等が吸湿して軟化してしまうと、接着剤等の接着強度は低下してしまい、両者（脚部ＵＦ・底板ＵＢ等）は剥離してしまう可能性が高い。つまり、脚部ＵＦと底板ＵＢ等とが別部材となっているために、両者に剥離が引き起こされしまうという問題が生じる。
【０００７】
本発明は、上記の問題点を解決するためになされたものであって、その目的は、脚部と底板等とを一体化させることによって、強度向上を図ったパレットを提供することを目的とする。
【課題を解決するための手段】
【０００８】
本発明は、底板、天板、およびこの天板と底板との間に介在する脚部から構成され、さらに上記の底板、天板、および脚部における少なくとも一つが、折り曲げ可能な折曲部材にて形成されたパレットであって、上記の底板および脚部、あるいは上記の天板および脚部が、一枚状の上記折曲部材によって形成されるとともに、この折曲部材の端部における少なくとも一端には、脚部形成領域が設けられており、この脚部形成領域には、部分片から成る第１領域と第２領域とが、少なくとも設けられ、上記第１領域を構成する部分片から、上記脚部の内部を成す支持体を形成させる一方、上記第２領域を構成する部分片によって、この支持体を被覆するとともに、この支持体を、上記の底板または天板に対して立ち上げることで、上記脚部を形成させていることを特徴としている。
【０００９】
その上、上記脚部形成領域において、上記第１領域が複数設けられるとともに、上記第２領域も複数設けられていることが好ましい。
【００１０】
これによると、一枚状の折曲部材から、底板・脚部、あるいは、天板・脚部が形成されるようになる。つまり、底板・脚部、または天板・脚部が一体化されるようになる。したがって、底板または天板から、脚部が解離しづらくなる。そのため、パレット自体の強度が向上することになる。
【００１１】
その上、上記脚部の内部を成す（つまり、脚部の母体となる）支持体を形成させる第１領域を複数設けるとともに、この支持体を被覆する第２領域を複数設けておけば、形成される一体化した脚部の数は増加する。すると、より一層、パレットの強度が向上することになる。
【００１２】
また、このように、底板・脚部、または、天板・脚部を一体化させると、別離した底板（または天板）と複数の脚部とを貼り合わせる等の作業は不要となる。そのため、パレットの組立工程が簡略化される。また、底板と複数の脚部とが別離していると、それらを構成する部材（例えば折曲部材）が複数かつ多量に必要となる。しかし、本発明であれば、一枚状の折曲部材から、底板・脚部、あるいは、天板・脚部が形成されるようになっているので、パレットのコストが低減するようにもなる。
【００１３】
なお、本発明のパレットでは、上記の複数設けられた第１領域および第２領域から構成された脚部が、パレットにおける全ての脚部となっていることが好ましい。
【００１４】
例えば、天板・底板の各々に脚部（天板用脚部、底板用脚部）が設けられており、この脚部同士をずらして、天板・底板を重ね合わせて貼り付け、パレットを組立ようとした場合、その作業は煩わしいものになってしまう（ずらし位置の確認等）。
【００１５】
しかし、パレットにおける全ての脚部が、天板あるいは底板を構成する一枚状の折曲部材から作り出される脚部であれば、天板・底板を重ね合わせて貼り付けるときの煩わしさは低減される（例えば、底板用脚部の形成された底板に、脚部のない天板のみを貼り合わせるだけでよいことになる）。したがって、本発明のパレットは、組立効率のよいパレットとなっている。
【００１６】
なお、本発明のパレットでは、上記支持体を構成する上記第１領域の複数の部分片同士が、解離しないように、上記第１領域の部分片に解離防止セットを設けてもよい。
【００１７】
具体的には、解離防止セットは、上記第１領域の部分片の一端に設けられた開孔部と、上記第１領域の部分片の他端に設けられた突起部とから構成されており、この突起部が開孔部分片に係合することによって、上記第１領域の複数の部分片同士が解離しないようになっている。
【００１８】
このような解離防止セットが、設けられると、第１領域の複数の部分片同士が解離しない、すなわち、支持体の分解を防止することができる。そのため、支持体自体が強固となり、ひいては、パレットの強度の向上、積載貨物等の重量の増加といった効果が得られる。
【００１９】
また、本発明は、種々の表現が可能であり、下記のように表現することもできる。
【００２０】
本発明のパレットでは、上記の底板および脚部、あるいは上記の天板および脚部が、一枚状の上記折曲部材によって形成されるとともに、この折曲部材の端部における少なくとも一端には、脚部形成領域が設けられており、この脚部形成領域には、開口が設けられるとともに、この開口を塞ぐように、開口の周囲に、複数の塞部材が設けられており、さらに、上記の各塞部材は、母体部分と、子体部分とから構成されており、上記母体部分が、例えば筒状となることで、上記脚部の内部を成す支持体となる一方、上記子体部分が、上記支持体を覆うようにして、上記支持体を保護し、加えて、上記開口の外周端が、保護された上記支持体を、さらに、保護することで、上記脚部を形成させていることを特徴としているともいえる。
【００２１】
本発明のパレットでは、上記の底板および脚部、あるいは上記の天板および脚部が、一枚状の上記折曲部材によって形成されるとともに、この折曲部材の周囲において、複数の脚部形成領域が設けられており、各脚部形成領域は、母体部分と、子体部分とから構成されており、上記母体部分が、例えば筒状となることで、上記脚部の内部を成す支持体となる一方、上記子体部分が、上記支持体を覆うようにして、上記支持体を保護することで、上記脚部を形成させていることを特徴としているともいえる。
【００２２】
本発明のパレットでは、上記の底板および脚部、あるいは上記の天板および脚部が、一枚状の上記折曲部材によって形成されるとともに、この折曲部材の端部における少なくとも一端には、脚部形成領域が設けられており、この脚部形成領域には、複数の開口が設けられるとともに、この各開口を塞ぐように、開口の周囲に、塞部材が設けられており、さらに、上記の各塞部材が、例えば筒状となることで、上記脚部の内部を成す支持体となる一方、上記開口の外周端が、上記支持体を覆うようにして、上記支持体を保護することで、上記脚部を形成させていることを特徴としているともいえる。
【発明の効果】
【００２３】
本発明は、底板・脚部、あるいは、天板・脚部は、一枚状の折曲部材から形成される。そのため、底板・脚部、または天板・脚部が一体化されるようになっている。したがって、底板または天板から、脚部が解離しづらくなる。その結果、パレット自体の強度が向上する。
【発明を実施するための最良の形態】
【００２４】
本発明の実施の一形態について、図面に基づいて説明すれば、以下の通りである。なお、後述にて説明する境界線ＢＬは、便宜上、他の線（例えば折り曲げ線）と重なり合わないように示している。
【００２５】
［実施の形態１］
〔パレットの構成について〕
本発明のパレット８９は、図８に示すように、底板Ｂ、天板Ｔ、および脚部Ｆ（底板用脚部ＢＦ・天板用脚部ＴＦ）から構成されている。そして、このパレット８９は、図７に示すように、底板Ｂ・底板用脚部（Ｂ脚部ＢＦ）から成る底板ユニットＢＵと、天板Ｔ・天板用脚部（Ｔ脚部ＴＦ）から成る天板ユニットＴＵとが連結することで構成されている。
【００２６】
〈底板ユニットの構成について〉
底板ユニットＢＵは、図２（展開図）に示すように、折り曲げ可能な一枚状の部材（折曲部材）から構成されている。そして、この折曲部材において、底板Ｂとなる領域（底板領域ＢＡ）と、Ｂ脚部ＢＦとなる領域（底板Ｕ用脚部領域ＢＦＡ）とを含むように構成されている。
【００２７】
底板領域ＢＡは、平板であり、貨物等を支える土台（基台）となっている。底板Ｕ用脚部領域ＢＦＡ（脚部形成領域）は、底板領域ＢＡを挟持する位置、すなわち、底板領域ＢＡの端部において、この底板領域ＢＡを挟持できる位置に設けられた領域である。そして、この底板Ｕ用脚部領域ＢＦＡが、折り曲げられることで、Ｂ脚部ＢＦが形成されるようになっている。
【００２８】
《底板Ｕ用脚部領域の構成について》
ここで、底板Ｕ用脚部領域ＢＦＡについて、図１（図２の部分拡大図）を用いて、詳細に説明する。底板Ｕ用脚部領域ＢＦＡは、複数の片（部分片）から構成されている。具体的には、第１短辺部Ｓ１、第２短辺部Ｓ２、梁部Ｅ、第１長辺部Ｌ１、第２長辺部Ｌ２、第１付加部Ｄ１、および第２付加部Ｄ２を含むように構成されている。
【００２９】
第１短辺部Ｓ１は、部分片１・２・３から構成されている。この第１短辺部Ｓ１は、底板領域ＢＡと底板Ｕ用脚部領域ＢＦＡとの境界線（境界部）ＢＬの長手方向に対して、垂直方向に延びるようにして形成された（延成された）部分となっている。具体的には、境界線ＢＬにおける両方の端（両端）における一端側に、部分片１がつながっており、この部分片１から上記の垂直方向（境界線ＢＬの長手方向に対して垂直方向）に、部分片２、さらに部分片３がつながるようになっている（連成するようになっている）。
【００３０】
一方、第２短辺部Ｓ２は、部分片２１・２２・２３から構成されている。この第２短辺部Ｓ２は、第１短辺部Ｓ１同様、底板領域ＢＡと底板Ｕ用脚部領域ＢＦＡとの境界線（境界部）ＢＬの長手方向に対して、垂直方向に延びるようにして形成された部分となっている。具体的には、境界線ＢＬにおける両端における他端側に部分片２３がつながっており、この部分片２３から上記の垂直方向に、部分片２２、さらに部分片２１がつながるようになっている。
【００３１】
梁部Ｅは、第１短辺部Ｓ１と第２短辺部Ｓ２とをつなげるように構成された部分である。つまり、梁部Ｅは、第１短辺部Ｓ１と第２短辺部Ｓ２とを架け渡すようになった部分片（部分片０）となっている。具体的には、部分片３において境界線ＢＬから最も離れた箇所（最外端３ａ）と、部分片２１において境界線ＢＬから最も離れた箇所（最外端２１ａ）とを連結するようにして形成されている（部分片０が、境界線ＢＬから最も離間した部分片３と部分片２１とをつなげるようになっている）。
【００３２】
第１長辺部Ｌ１は、部分片４・５・６・７・８から構成されている。そして、この第１長辺部Ｌ１は、部分片３から、境界線ＢＬと同方向〔梁部Ｅの長手方向と同方向（平行方向）〕で、かつ、梁部Ｅと隣り合うように、延ばされた（延成された）部分となっている。具体的には、部分片３において、境界線ＢＬと同方向（平行方向）で、かつ第２短辺部Ｓ２に対向する箇所（内端３ｂ）から、部分片４・５・６・７・８が、この順（部分片４→部分片８）で、連なることで、第１長辺部Ｌ１は構成されている（部分片０とつながる部分片３から、第２短辺部Ｓ２に向かって、延びるようにして、第１長辺部Ｌ１が形成されている）。
【００３３】
一方、第２長辺部Ｌ２は、部分片２４・２５・２６・２７・２８から構成されている。そして、この第２長辺部Ｌ２は、部分片２３から、境界線ＢＬと同方向で、かつ、境界線ＢＬと隣り合うように、延ばされた部分となっている。具体的には、部分片２３において、境界線ＢＬと同方向で、かつ第１短辺部Ｓ１に対向する箇所（内端２３ｂ）から、部分片２４・２５・２６・２７・２８が、この順（部分片２４→部分片２８）で、連なることで、第２長辺部Ｌ２は構成されている（境界線とつながる部分片２３から、第１短辺部Ｓ１に向かって、延びるようにして、第２長辺部Ｌ２が形成されている）。
【００３４】
第１付加部Ｄ１は、部分片９・１０・１１・１２・１３・１４から構成されている。そして、この第１付加部Ｄ１では、部分片８から、境界線ＢＬに向かって部分片９が設けられるとともに、この部分片９から境界線ＢＬと同方向に沿った部分片１０・１１・１２・１３と、部分片９から境界線ＢＬに向いた部分片１４とが形成されている。
【００３５】
具体的には、部分片８において、境界線ＢＬに対向する箇所（対向端８ｃ）から、境界線ＢＬに向かって部分片９が形成されている。そして、この部分片９において、第１短辺部Ｓ１に対向する箇所（対向端９ａ）から、境界線ＢＬと同方向（平行方向）に、部分片１１・１２・１３が、この順（部分片１１→部分片１３）で、連なるように形成されている。また、この部分片９において、第２短辺部Ｓ２に対向する箇所（対向端９ｂ）から、境界線ＢＬと同方向に、部分片１０が、延びるように形成されている。
【００３６】
さらに、この部分片９において、境界線ＢＬに対向する箇所（対向端９ｃ）から、境界線ＢＬに向かって（境界線ＢＬに対して垂直方向に）、部分片１４が、延びるように形成されている。
【００３７】
一方、第２付加部Ｄ２は、部分片２９・３０・３１・３２・３３・３４から構成されている。そして、この第２付加部Ｄ２では、部分片２８から、梁部Ｅに向かって部分片２９が形成されるとともに、この部分片２９から境界線ＢＬと同方向に沿った部分片３０・３１・３２・３３と、部分片２９から梁部Ｅに向いた部分片３４とが形成されている。
【００３８】
具体的には、部分片２８において、梁部Ｅに対向する箇所（対向端２８ｃ）から、梁部Ｅに向かって部分片２９が形成されている。そして、この部分片２９において、第２短辺部Ｓ２に対向する箇所（対向端２９ａ）から、境界線ＢＬと同方向に、部分片３１・３２・３３が、この順（部分片３１→部分片３３）で、連なるように形成されている。また、この部分片２９において、第１短辺部Ｓ１に対向する箇所（対向端２９ｂ）から、境界線ＢＬと同方向に、部分片３０が、延びるように形成されている。
【００３９】
さらに、この部分片２９において、梁部Ｅに対向する箇所（対向端２９ｃ）から、梁部Ｅに向かって、部分片３４が、延びるように形成されている。
【００４０】
《底板Ｕ用脚部領域からＢ脚部の組立工程について》
以上のように説明した底板Ｕ用脚部領域ＢＦＡを利用してＢ脚部を組立ていく。なお、組立手順は一例であって、これに限定されるものではない。要は、後述する支持体（Ｂ支持体）が組立られるとともに、このＢ支持体が被覆され（後述の第２領域によって被覆され）、さらに、この被覆（保護）されて形成されるＢ脚部ＢＦが、底板Ｂに対して立ちあがるようになればよい。
【００４１】
また、図１における点線は折り曲げ線となっており、斜線部は開口となっている。また、梁部Ｅ・底板Ｂ・第１短辺部Ｓ１・第２短辺部Ｓ２にて囲まれた領域での実線は切断線となっている。なお、後述の説明では、全ての折り曲げ線は、紙面の裏から表側の方向へと折り曲げられるようになっている。
【００４２】
《《Ｂ支持体の組立について》》
まず、Ｂ脚部ＢＦ内部を構成するＢ支持体（支持体）を組立る。Ｂ支持体（第１Ｂ支持体・第２Ｂ支持体）を構成するのは、第１付加部Ｄ１・第２付加部Ｄ２となっている。
【００４３】
（第１Ｂ支持体の組立について）
最初に、第１付加部Ｄ１の部分片１０・１１・１４が、部分片９の折り曲げ線〔部分片９と部分片１０・１１・１４との接続線（折り曲げ線）〕を基準に折り曲げられる。具体的には、部分片１０・１１・１４は、部分片９の平面に対して垂直方向になるまで折り曲げられるようになっている。すると、部分片１０と部分片１１とが対向するような位置関係となる。
【００４４】
次に、部分片１２が、部分片１１と部分片１２との折り曲げ線に沿って、部分片９と対向するまで折り曲げられるとともに、部分片１３が、部分片１２と部分片１３との折り曲げ線に沿って、部分片１０と重なり合うまで折り曲げられる。ここで、部分片１０と部分片１３とを貼り合わされるようになっている（貼着されるようになっている）。
【００４５】
すると、部分片１０〜部分片１４で構成された筒状体が完成する。この筒状体は、具体的には、部分片１０〜部分片１３にて構成された筒状体の周囲部分と、その筒状体の開口の一端をふさぐようになった部分片１４とで構成されている。なお、この筒状体が、上記のＢ支持体（第１Ｂ支持体）となっている。
【００４６】
（第２Ｂ支持体の組立について）
一方、第２付加部Ｄ２の部分片３０・３１・３４が、部分片２９の折り曲げ線〔部分片２９と部分片３０・３１・３４との接続線（折り曲げ線）〕を基準に折り曲げられる。具体的には、部分片３０・３１・３４は、部分片２９の平面に対して垂直方向になるまで折り曲げられるようになっている。すると、部分片３０と部分片３１とが対向するような位置関係となる。
【００４７】
次に、部分片３２が、部分片３１と部分片３２との折り曲げ線に沿って、部分片２９と対向するまで折り曲げられるとともに、部分片３３が、部分片３２と部分片３３との折り曲げ線に沿って、部分片３０と重なり合うまで折り曲げられる。ここで、部分片３０と部分片３３とを貼り合わされるようになっている（貼着されるようになっている）。
【００４８】
すると、部分片３０〜部分片３４で構成された筒状体が完成する。この筒状体は、具体的には、部分片３０〜部分片３３にて構成された筒状体の周囲部分と、その筒状体の開口の一端をふさぐようになった部分片３４とで構成されている。なお、この筒状体が、上記のＢ支持体（第２Ｂ支持体）となっている。
【００４９】
《《前段階Ｂ脚部の組立について》》
（前段階第１Ｂ脚部の組立について）
次に、第１Ｂ支持体を構成する部分片９が、部分片９と部分片８との折り曲げ線に沿って、部分片８の平面に対して垂直方向になるまで折り曲げられるようになっている。すると、部分片８と部分片１４とが対向するような位置関係となる。
【００５０】
続いて、以下のステップ１〜５までが、この順で行われる。
【００５１】
（（ステップ１））
部分片８が、部分片７と部分片８との折り曲げ線に沿って、部分片７の平面に対して垂直方向になるまで折り曲げられるようになっている。すると、部分片７と部分片１１とが重なり合うような位置関係となる。そこで、この部分片７と部分片１１とが貼り合わされるようになっている。
【００５２】
（（ステップ２））
部分片７が、部分片６と部分片７との折り曲げ線に沿って、部分片６の平面に対して垂直方向になるまで折り曲げられるようになっている。すると、部分片６と部分片１４とが重なり合うような位置関係となる。そこで、この部分片６と部分片１４とが貼り合わされるようになっている。
【００５３】
（（ステップ３））
部分片６が、部分片５と部分片６との折り曲げ線に沿って、部分片５の平面に対して垂直方向になるまで折り曲げられるようになっている。すると、部分片５と部分片１０（この部分片１０はすでに部分片１３と貼り合わされている）とが重なり合うような位置関係となる。そこで、この部分片５と部分片１０とが貼り合わされるようになっている。
【００５４】
（（ステップ４））
部分片５が、部分片４と部分片５との折り曲げ線に沿って、部分片４の平面に対して垂直方向になるまで折り曲げられるようになっている。すると、部分片４と部分片８とが重なり合うような位置関係となる。そこで、この部分片４と部分片８とが貼り合わされるようになっている。
【００５５】
（（ステップ５））
部分片４が、部分片３と部分片４との折り曲げ線に沿って、部分片３の平面に対して垂直方向になるまで折り曲げられるようになっている。すると、部分片３と部分片７（この部分片７はすでに部分片１１と貼り合わされている）とが重なり合うような位置関係となる。そこで、この部分片３と部分片７とが貼り合わされるようになっている。
【００５６】
上記のステップ１〜５までの組立工程が完了すると、第１Ｂ支持体は、部分片３〜８によって、囲むようにして覆われることになった上、部分片３の平面に対して垂直に立ち上がるようになる（立設されるようになる）。そこで、これを前段階Ｂ脚部（前段階第１Ｂ脚部）とする。
【００５７】
なお、この前段階第１Ｂ脚部の表面は、部分片４・５・６・９・１２とから構成されている。そして、部分片５は、部分片３と対向する位置となる一方、部分片４・６・９・１２は、部分片３の平面に対して垂直に立ち上がった位置となっている。
【００５８】
（前段階第２Ｂ脚部の組立について）
次に、第２Ｂ支持体を構成する部分片２９が、部分片２９と部分片２８との折り曲げ線に沿って、部分片２８の平面に対して垂直方向になるまで折り曲げられるようになっている。すると、部分片２８と部分片３４とが対向するような位置関係となる。
【００５９】
続いて、以下のステップ１’〜５’までが、この順で行われる。
【００６０】
（（ステップ１’））
部分片２８が、部分片２７と部分片２８との折り曲げ線に沿って、部分片２７の平面に対して垂直方向になるまで折り曲げられるようになっている。すると、部分片２７と部分片３１とが重なり合うような位置関係となる。そこで、この部分片２７と部分片３１とが貼り合わされるようになっている。
【００６１】
（（ステップ２’））
部分片２７が、部分片２６と部分片２７との折り曲げ線に沿って、部分片２６の平面に対して垂直方向になるまで折り曲げられるようになっている。すると、部分片２６と部分片３４とが重なり合うような位置関係となる。そこで、この部分片２６と部分片３４とが貼り合わされるようになっている。
【００６２】
（（ステップ３’））
部分片２６が、部分片２５と部分片２６との折り曲げ線に沿って、部分片２５の平面に対して垂直方向になるまで折り曲げられるようになっている。すると、部分片２５と部分片３３（この部分片３３はすでに部分片３０と貼り合わされている）とが重なり合うような位置関係となる。そこで、この部分片２５と部分片３３とが貼り合わされるようになっている。
【００６３】
（（ステップ４’））
部分片２５が、部分片２４と部分片２５との折り曲げ線に沿って、部分片２４の平面に対して垂直方向になるまで折り曲げられるようになっている。すると、部分片２４と部分片２８とが重なり合うような位置関係となる。そこで、この部分片２４と部分片２８とが貼り合わされるようになっている。
【００６４】
（（ステップ５’））
部分片２４が、部分片２３と部分片２４との折り曲げ線に沿って、部分片２３の平面に対して垂直方向になるまで折り曲げられるようになっている。すると、部分片２３と部分片２７（この部分片２７はすでに部分片３１と貼り合わされている）とが重なり合うような位置関係となる。そこで、この部分片２３と部分片２７とが貼り合わされるようになっている。
【００６５】
上記のステップ１’〜５’までの組立工程が完了すると、第２Ｂ支持体は、部分片２３〜２８によって、囲むようにして覆われることになった上、部分片２３の平面に対して垂直に立ち上がるようになる（立設されるようになる）。そこで、これを前段階Ｂ脚部（前段階第２Ｂ脚部）とする。
【００６６】
なお、この前段階第２Ｂ脚部の表面は、部分片２４・２５・２６・２９・３２とから構成されている。そして、部分片２５は、部分片２３と対向する位置となる一方、部分片２４・２６・２９・３２は、部分片２３の平面に対して垂直に立ち上がった位置となっている。
【００６７】
《《Ｂ脚部の組立について》》
上記した前段階第１Ｂ脚部・前段階第２Ｂ脚部は、部分片３・２３上に位置するようになっている。そこで、これらから最終的なＢ脚部ＢＦ（第１Ｂ脚部・第２Ｂ脚部）を組立る。
【００６８】
まず、部分片３が、部分片２と部分片３との折り曲げ線に沿って、部分片２の平面に対して垂直方向になるまで折り曲げられるとともに、部分片２１が、部分片２２と部分片２１との折り曲げ線に沿って、部分片２２の平面に対して垂直方向になるまで折り曲げられるようになっている。すると、部分片９と部分片２とが重なり合うような位置関係となる。そこで、この部分片９と部分片２とが貼り合わされるようになっている。
【００６９】
続いて、部分片２が、部分片１と部分片２との折り曲げ線に沿って、部分片１の平面に対して垂直方向になるまで折り曲げられるとともに、部分片２２が、部分片２３と部分片２２との折り曲げ線に沿って、部分片２３の平面に対して垂直方向になるまで折り曲げられるようになっている。
【００７０】
すると、部分片５と部分片１とが重なり合うような位置関係となる一方、部分片２２と部分片２９とが重なり合うような位置関係となり、さらに、部分片２１と部分片２５とが重なり合うような位置関係となる（同時に、部分片２１が、部分片２２と部分片２１との折り曲げ線に沿って、部分片２２に対して垂直方向となるまで折り曲げられるため）。        
【００７１】
そこで、部分片５と部分片１とが貼り合わされるようになっているとともに、部分片２２と部分片２９とが貼り合わされ、さらに、部分片２１と部分片２５とが貼り合わされるようになっている。
【００７２】
すると、境界線ＢＬの両端に位置する部分片１・部分片２３上に、前段階第１Ｂ脚部・前段階第２Ｂ脚部が立ち上がるようになるとともに、部分片０（梁部Ｅ）が、底板Ｂから一定間隔あけて、その底板Ｂと対向するような位置関係となる。
【００７３】
そして、部分片０が、部分片３・部分片２１と、部分片０との折り曲げ線に沿って、底板Ｂに対して垂直方向になるまで折り曲げられる。すると、部分片０と、部分片１２・部分片３２とが重なり合うような位置関係となる。そこで、部分片０と、部分片１２・部分片３２とが貼り合わされるようになっている。
【００７４】
そして、さらに、部分片１が、底板Ｂと部分片１との折り曲げ線（境界線ＢＬ）に沿って、底板Ｂに対して垂直方向になるまで折り曲げられるとともに、部分片２３が、底板Ｂと部分片２３との折り曲げ線（境界線ＢＬ）に沿って、底板Ｂに対して垂直方向になるまで折り曲げられるようになっている。すると、部分片０の裏面（図１の紙面に対する裏側）が、底板Ｂと重なり合うような位置関係となる。そこで、部分片０と底板Ｂとが貼り合わされるようになっている。
【００７５】
その結果、図３に示すように、Ｂ脚部ＢＦが底板Ｂに対して立ち上がったような底板ユニットＢＵが完成する。
【００７６】
なお、上述において、Ｂ支持体（第１Ｂ支持体・第２Ｂ支持体）となる第１付加部Ｄ１および第２付加部を、便宜上、第１領域と定義し、Ｂ支持体を覆うようになっている第１短辺部Ｓ１および第１長辺部Ｌ１と、第２短辺部Ｓ２および第２長辺部Ｌ２と、梁部Ｅとを、便宜上、第２領域と定義する。そして、以降においても、支持体（Ｂ支持体やＴ支持体）となる部分片から成る領域を第１領域、支持体を覆う部分片から成る領域を第２領域と表現するものとする。
【００７７】
また、各部材を別表現すると、底板Ｕ用脚部領域ＢＦＡ内に開口が設けられるようになっており、この開口を塞ぐように、第１付加部Ｄ１・第１長辺部Ｌ１、第２付加部Ｄ２・第２長辺部Ｌ２が設けられるようになっているともいえる。すると、第１付加部Ｄ１・第１長辺部Ｌ１、第２付加部Ｄ２・第２長辺部Ｌ２は、開口を塞ぐための部材（塞部材）といえ、第１短辺部Ｓ１、第２短辺部Ｓ２、梁部Ｅは、開口の外周端といえる。
【００７８】
その上、Ｂ支持体となる第１付加部Ｄ１・第２付加部Ｄ２は、塞部材の母体部分といえ、Ｂ支持体を被覆する第１長辺部Ｌ１・第２長辺部Ｌ２は、塞部材の子体部分といえる。
【００７９】
〈天板ユニットＴＵの構成について〉
天板ユニットＴＵは、図４（展開図）に示すように、折り曲げ可能な一枚状の部材（折曲部材）から構成されている。そして、この折曲部材において、天板Ｔとなる領域（天板領域ＴＡ）と、Ｔ脚部（天板用脚部）ＴＦとなる領域（天板Ｕ用脚部領域ＴＦＡ）を含むように構成されている。
【００８０】
天板領域ＴＡは、平板であり、底板領域ＢＡ同様、貨物等を支える土台（基台）となっている。天板Ｕ用脚部領域ＴＦＡ（脚部形成領域）は、天板領域ＴＡの各端部（図４では、４つの端部；すなわち周囲）に設けられた領域である。そして、この天板Ｕ用脚部領域ＴＦＡが、折り曲げられることで、Ｔ脚部ＴＦが形成されるようになっている。
【００８１】
《天板Ｕ用脚部領域の構成について》
ここで、天板Ｕ用脚部領域ＴＦＡについて、図５（図４の部分拡大図）を用いて、詳細に説明する。天板Ｕ用脚部領域ＴＦＡは、複数の片（部分片）から構成されている。具体的には、天板領域ＴＡと天板Ｕ用脚部領域ＴＦＡとの境界線ＢＬと同方向（平行方向）となっている１本状（すなわち、ローマ字のほぼＩ字状となっている）第１Ｉ字部Ｉ１と、第２Ｉ字部Ｉ２とを含むように構成されている。
【００８２】
第２Ｉ字部Ｉ２は、部分片４１・４２・４３・４５・４６・４７・４８から構成されている。この第２Ｉ字部Ｉ２は、天板領域ＴＡと天板Ｕ用脚部領域ＴＦＡとの境界線（境界部）ＢＬの長手方向と同方向（平行方向）に延びるようにして形成された（延成された）部分となっている。
【００８３】
具体的には、境界線ＢＬにおける両方の端（一端・他端）の間に（例えば中間に）、部分片４５がつながっている。そして、この部分片４５において、境界線ＢＬの一端側に向いた箇所（方向端４５ａ）から、部分片４３・４２・４１が、この順（部分片４３→部分片４１）で、連なっている一方、部分片４５において、境界線ＢＬの他端側に向いた箇所（方向端４５ｂ）から、部分片４６・４７・４８が、この順（部分片４６→部分片４８）で、連なることで、第２Ｉ字部Ｉ２は構成されている。
【００８４】
第１Ｉ字部Ｉ１は、部分片５１・５２・５３・５４・５５・５６・５７・５８・５９から構成されている。この第１Ｉ字部Ｉ１は、第２Ｉ字部Ｉ２同様、天板領域ＴＡと天板Ｕ用脚部領域ＴＦＡとの境界線ＢＬの長手方向と同方向（平行方向）に延びるようにして形成された（延成された）部分となっている。
【００８５】
具体的には、第２Ｉ字部Ｉ２の部分片４５において、境界線ＢＬから最も離間した箇所（外端４５ｃ）に、部分片５５がつながっている。そして、この部分片５５において、境界線ＢＬの一端側に向いた箇所（方向端５５ａ）から、部分片５４・５３・５２・５１が、この順（部分片５４→部分片５１）で、連なるようになっている一方、部分片５５において、境界線ＢＬの他端側に向いた箇所（方向端５５ｂ）から、部分片５６・５７・５８・５９が、この順（部分片５６→部分片５９）で、連なることで、第１Ｉ字部Ｉ１は構成されている。
【００８６】
なお、部分片５２には、切り込みが入れられており、これ（切り込み部分）を折り起こすことで突起状となる突起部８５が設けられている。一方、部分片５７には、この突起部８５がひっかかる（係合する）ような開孔部８６が設けられている。すなわち、突起部８５と開孔部８６とは、互いに係わり合うことで（ひっかかりあうことで）、方向端５５ａからつらなった部分片（部分片５３〜５１）と、方向端５５ｂからつらなった部分片（部分片５６〜５９）とを引っかけて止めるようになっている（係止するようになっている）。そのため、後述するＴ支持体は分解しづらくなり、強度が向上するようになっている。なお、この突起部８５と開孔部８６とを解離防止セットと表現する。
【００８７】
《天板Ｕ用脚部領域からＴ脚部の組立工程について》
以上のように説明した天板Ｕ用脚部領域ＴＦＡを利用してＴ脚部を組立ていく。なお、組立手順は一例であって、これに限定されるものではない。要は、後述する支持体（Ｔ支持体）が組立られるとともに、このＴ支持体が被覆され（第２領域によって被覆され）、さらに、この被覆されて形成されるＴ脚部ＴＦが、天板Ｔに対して立ちあがるようになればよい。
【００８８】
また、図５における点線は折り曲げ線となっており、斜線部は開口となっている。また、上記の第２領域（被覆部分）となる第２Ｉ字部Ｉ２、第１領域（支持体部分）となる第１Ｉ字部Ｉ１、および境界線ＢＬにおける実線は切断線となっている。なお、後述の説明では、全ての折り曲げ線は、紙面の裏から表側の方向へと折り曲げられるようになっている。
【００８９】
《《Ｔ支持体の組立について》》
まず、Ｔ脚部ＴＦの母体となる（Ｔ脚部ＴＦ内部を構成する）Ｔ支持体を組立る。Ｔ支持体を構成するのは、第１Ｉ字部Ｉ１（第１領域）となっている。
【００９０】
最初に、第１Ｉ字部Ｉ１の部分片５１が、部分片５２と部分片５１との折り曲げ線に沿って、部分片５２の平面に対して垂直方向になるまで折り曲げられるようになっている。一方、部分片５９が、部分片５８と部分片５９との折り曲げ線に沿って、部分片５８の平面に対して垂直方向になるまで折り曲げられるようになっている。すると、部分片５１と、部分片５９とが、対向するような位置関係となる。
【００９１】
次に、部分片５２が、部分片５３と部分片５２との折り曲げ線に沿って、部分片５３の平面に対して垂直方向になるまで折り曲げられるようになっている。一方、部分片５８が、部分片５７と部分片５８との折り曲げ線に沿って、部分片５７の平面に対して垂直方向になるまで折り曲げられるようになっている。すると、部分片５２と、部分片５８とが、対向するような位置関係となる。なお、部分片５２の折り曲げのとき、突起部８５となる切り込みを折り起こすようにしておいてもよい。
【００９２】
続いて、部分片５３が、部分片５４と部分片５３との折り曲げ線に沿って、部分片５４の平面に対して垂直方向になるまで折り曲げられるようになっている。一方、部分片５７が、部分片５６と部分片５７との折り曲げ線に沿って、部分片５６の平面に対して垂直方向になるまで折り曲げられるようになっている。すると、部分片５３と、部分片５７とが、対向するような位置関係となる一方、この間（部分片５３と部分片５７との間）に、部分片５１と部分片５９とが対向しながら位置するようになる。
【００９３】
続いて、部分片５４が、部分片５５と部分片５４との折り曲げ線に沿って、部分片５５の平面に対して垂直方向になるまで折り曲げられるようになっている。一方、部分片５６が、部分片５５と部分片５６との折り曲げ線に沿って、部分片５５の平面に対して垂直方向になるまで折り曲げられるようになっている。
【００９４】
すると、部分片５４と、部分片５６とが、対向するような位置関係となる一方、この間（部分片５４と部分片５６との間）に、部分片５２と部分片５８とが対向しながら位置するようになる〔具体的には、突起部８５と開孔部８６とが係止できる程度まで密着するような位置（重なり合うような位置関係）となる〕。その上、部分片５１・部分片５９が、部分片５５と対向するようになる（具体的には、部分片５１・部分片５９が、部分片５５とが重なり合うようになる）。
【００９５】
そこで、部分片５１・部分片５９と、部分片５５とを貼り合わせるとともに、部分片５２と部分片５８とを貼り合わせ、さらに、突起部８５と開孔部８６とを係合させる。すると、部分片５１〜部分片５９で構成された筒状体が完成する。この筒状体は、筒内部に部分片５１・５２・５８・５９が介在するようになっており、これらの部分片５１・５２・５８・５９が、筒状体の補強的な役割を果たすようになっている。したがって、この筒状体（すなわち、Ｔ支持体）は、極めて高強度となっている。
【００９６】
なお、部分片５１・部分片５９と、部分片５５とを貼り合わせず、かつ、部分片５２と部分片５８とを貼り合わせなくとも、突起部８５と開孔部８６とを係合させることだけでも、部分片５１〜部分片５９で構成された筒状体が完成するようになっている。
【００９７】
《《Ｔ脚部の組立について》》
上記したＴ支持体は、部分片５５上に位置するようになっている。そこで、このＴ支持体から、最終的なＴ脚部ＴＦを組立る。
【００９８】
まず、第１Ｉ字部Ｉ１と第２Ｉ字部Ｉ２との連結部分（外端４５ｃ）である、部分片５５と部分片４５との折り曲げ線に沿って、部分片５５が、部分片４５の平面に対して垂直方向になるまで折り曲げられるようになっている。すると、Ｔ支持体（筒状体）の筒軸方向（筒状の開口同士をつなぐ方向）が部分片４５の平面に対して垂直方向となる。
【００９９】
続いて、以下のステップ１１〜１６までが、この順で行われる。
（（ステップ１１））
部分片４３が、部分片４５と部分片４３との折り曲げ線に沿って、部分片４５の平面に対して垂直方向になるまで折り曲げられるようになっている。すると、部分片４３と、部分片４５に対して垂直となった部分片５４とが重なり合うような位置関係となる。そこで、この部分片４５と部分片５４とが貼り合わされるようになっている。
【０１００】
（（ステップ１２））
部分片４２が、部分片４３と部分片４２との折り曲げ線に沿って、部分片４３の平面に対して垂直方向になるまで折り曲げられるようになっている。すると、Ｔ支持体の開口部分と、部分片４２とが重なり合うような位置関係となる。
【０１０１】
（（ステップ１３））
部分片４１が、部分片４２と部分片４１との折り曲げ線に沿って、部分片４２の平面に対して垂直方向になるまで折り曲げられるようになっている。すると、部分片４１と、部分片４５に対して垂直となった部分片５６とが重なり合うような位置関係となる。そこで、この部分片４１と部分片５６とが貼り合わされるようになっている。
【０１０２】
（（ステップ１４））
部分片４６が、部分片４５と部分片４６との折り曲げ線に沿って、部分片４５の平面に対して垂直方向になるまで折り曲げられるようになっている。すると、部分片４６と、部分片４５に対して垂直となった部分片４１（この部分片４１はすでに部分片５６と貼り合わされている）とが重なり合うような位置関係となる。そこで、この部分片４６と部分片４１とが貼り合わされるようになっている。
【０１０３】
（（ステップ１５））
部分片４７が、部分片４６と部分片４７との折り曲げ線に沿って、部分片４６の平面に対して垂直方向になるまで折り曲げられるようになっている。すると、部分片４７が、Ｔ支持体の開口部分を塞いでいる部分片４２と重なり合うような位置関係となる。そこで、この部分片４７と部分片４２とが貼り合わされるようになっている。
【０１０４】
（（ステップ１６））
部分片４８が、部分片４７と部分片４８との折り曲げ線に沿って、部分片４７の平面に対して垂直方向になるまで折り曲げられるようになっている。すると、部分片４８と、部分片４５に対して垂直となった部分片４３（この部分片４３はすでに部分片５４と貼り合わされている）とが重なり合うような位置関係となる。そこで、この部分片４８と部分片４３とが貼り合わされるようになっている。
【０１０５】
上記のステップ１１〜１６までの組立工程が完了すると、Ｔ支持体は、部分片４１〜部分片４８によって、囲むようにして覆われることになった上、部分片４５の平面に対して垂直に立ち上がるようになる（立設されるようになる）。
【０１０６】
そして、最後に、第２Ｉ字部Ｉ２と境界線ＢＬとのつながり部分（折り曲げ線）に沿って、部分片４５が天板Ｔに対して垂直方向になるまで折り曲げられるようになっている。すると、部分片４５上にて第２Ｉ字部Ｉ２によって被覆されたＴ支持体が、天板Ｔに対して立ち上がるようになるとともに、解離防止セットにて係合されている部分片５３・部分片５７と天板Ｔとが重なり合うような位置関係になる。そこで、部分片５３・部分片５７と天板Ｔとを貼り合わせるようになっている。
【０１０７】
その結果、図６に示すように、Ｔ脚部ＴＦが天板Ｔに対して立ち上がるような天板ユニットＴＵが完成する。
【０１０８】
〔パレットの組立について〕
パレット８９は、上述のような組立工程を経て、完成した底板ユニットＢＵと天板ユニットＴＵとを貼り合わせることで完成するようになっている（図７参照）。
【０１０９】
具体的には、底板ユニットＢＵにおける脚部Ｆ（Ｂ脚部ＢＦ）同士の間に、天板ユニットＴＵの脚部Ｆ（Ｔ脚部ＴＦ）が位置するようにして、Ｂ脚部ＢＦと天板Ｔ、およびＴ脚部ＴＦと底板Ｂとを貼り合わせるようになっている。そして、完成したパレット８９は、図８に示すようになっている。
【０１１０】
なお、各部材を別表現すると、天板Ｕ用脚部領域ＴＦＡ内における第１Ｉ字部Ｉ１は、Ｔ支持体となるので、天板Ｕ用脚部領域の母体部分といえ、Ｔ支持体を保護する第２Ｉ字部Ｉ２は、天板Ｕ用脚部領域の子体部分といえる。
【０１１１】
〔本発明の種々の特徴ついて〕
以上のように、本発明のパレットは、底板Ｂ、天板Ｔ、およびこの天板Ｔと底板Ｂとの間に介在する脚部Ｆから構成され、さらに底板Ｂ、天板Ｔ、および脚部Ｆにおける少なくとも一つが、折り曲げ可能な折曲部材にて形成されるようになっている。
【０１１２】
そして、底板Ｂおよび脚部Ｆ（Ｂ脚部ＢＦ）、あるいは天板Ｔおよび脚部Ｆ（Ｔ脚部ＴＦ）が、一枚状の上記折曲部材によって形成されるようになっている。すなわち、底板ユニットＢＵまたは天板ユニットＴＵは、一枚状の上記折曲部材にて構成されるようになっている。
【０１１３】
そして、この底板ユニットＢＵまたは天板ユニットＴＵを構成する折曲部材の端部における少なくとも一端には、脚部形成領域（底板Ｕ用脚部領域ＢＦＡまたは天板Ｕ用脚部領域ＴＦＡ）が設けられている。そして、この脚部形成領域には、複数の部分片から成る第１領域と、複数の部分片から成る第２領域とが、少なくとも設けられている。
【０１１４】
そして、この第１領域を構成する複数の部分片が折り曲げられることで、脚部Ｆ（Ｂ脚部ＢＦまたはＴ脚部ＴＦ）の内部を成す支持体（Ｂ支持体またはＴ支持体）が組立られる一方、第２領域を構成する複数の部分片によって、この支持体（Ｂ支持体またはＴ支持体）は被覆されるようになっている。そして、この被覆された支持体が、底板Ｂまたは天板Ｔに対して立ち上がるようにされることで、脚部が完成するようになっている。
【０１１５】
そして、特に、本発明のパレット８９では、脚部形成領域において、第１領域が複数設けられるとともに、第２領域も複数設けられていることを特徴としている。
【０１１６】
これによると、本発明のパレット８９では、底板Ｂと脚部Ｆ（Ｂ脚部ＢＦ）が一体化されるようになる。また、天板Ｔと脚部Ｆ（Ｔ脚部ＴＦ）も一体化されるようになる。
【０１１７】
そのため、底板Ｂと脚部ＢＦとを分離させた（あるいは、天板Ｔと脚部Ｆとを分離させた）構造から成るパレット８９に比べて、高強度なパレットにすることができる。
【０１１８】
その上、脚部Ｆの内部を成す（つまり、脚部Ｆの母体となる）支持体を形成させる第１領域を複数設けるとともに、この支持体を被覆する第２領域を複数設けておけば、形成される脚部の数は増加する。すると、より一層、パレット８９の強度が向上することになる。
【０１１９】
また、このように、底板Ｂ・脚部ＢＦ、または、天板Ｔ・脚部ＴＦを一体化させると、別離した底板（または天板）と複数の脚部とを貼り合わせる等の作業は不要となる。そのため、パレット８９の組立工程が簡略化される。また、底板と複数の脚部とが別離していると、それらを構成する部材（例えば折曲部材）が複数かつ多量に必要となる。しかし、本発明のパレット８９であれば、一枚状の折曲部材から、底板Ｂ・脚部Ｆ（Ｂ脚部ＢＦ）、あるいは、天板Ｔ・脚部（Ｔ脚部ＴＦ）が形成されるようになっているので、パレットのコストが低減するようにもなる。
【０１２０】
［実施の形態２］
本発明の実施の形態２について説明する。なお、実施の形態１で用いた部材と同様の機能を有する部材については、同一の符号を付記し、その説明を省略する。
【０１２１】
実施の形態１で説明した底板ユニットＢＵ・天板ユニットＴＵは、一例であって、種々の変更が可能になっている。そこで、底板ユニットＢＵの他の一例について説明する。
【０１２２】
〈他の底板ユニットの構成について〉
底板ユニットＢＵは、図９（展開図）に示すように、実施の形態１同様、折り曲げ可能な一枚状の部材（折曲部材）から構成されている。そして、この折曲部材において、底板Ｂとなる領域（底板領域ＢＡ）と、Ｂ脚部ＢＦとなる領域（底板Ｕ用脚部領域ＢＦＡ）を含むように構成されている。
【０１２３】
底板Ｕ用脚部領域ＢＦＡは、実施の形態１同様、底板領域ＢＡの端部において、この底板領域ＢＡを挟持できる位置に設けられた領域となっている。そして、この底板Ｕ用脚部領域ＢＦＡが、折り曲げられることで、Ｂ脚部ＢＦが形成されるようになっている。
【０１２４】
《他の底板ユニットでのＢＵ脚部領域の構成について》
ここで、底板Ｕ用脚部領域ＢＦＡについて、図１０（図９の部分拡大図）を用いて、詳細に説明する。底板Ｕ用脚部領域ＢＦＡは、複数の部分片から構成されている。具体的には、第１Ｌ字部ＬＬ１、第１延成部Ｇ１、第２Ｌ字部ＬＬ２、および第２延成部Ｇ２を含むように構成されている。
【０１２５】
第１Ｌ字部ＬＬ１は、部分片６６と部分片６７とから構成されている。そして、この部分片６７は矩形状となっており、その長さ（長手；境界線と同程度の長さ）は、部分片６６の長さ（長手・短手）に対して長くなっている。そして、この部分片６７長手の一端に部分片６６が連結されるようになっている。具体的には、部分片６７長手の一端から、この部分片６７の長手方向に対して垂直方向に、部分片６６がつなげられるようになっている。
【０１２６】
そのため、これらの部分片６６と部分片６７とがつながった形状が、屈曲箇所（部分片６６と部分片６７との連結部分；屈曲部Ｚ）を有し、ローマ字のほぼＬ字のような形状となる。そのため、この部分片６６と部分片６７とから構成される部分は、上記のようにＬ字部ＬＬ（第１Ｌ字部ＬＬ１）と表現される。
【０１２７】
そして、この第１Ｌ字部ＬＬ１では、底板領域ＢＡと底板Ｕ用脚部領域ＢＦＡとの境界線ＢＬにおける両方の端（両端）における一端側に、部分片６６がつながるとともに、部分片６７の長手が境界線と平行となるようになっている。
【０１２８】
第１延成部Ｇ１は、部分片６１・６２・６３・６４・６５から構成されている。具体的には、部分片６１が、境界線ＢＬにおける両方の端（両端）における他端側と、第１Ｌ字部ＬＬ１の長手（部分片６７）の端部における内側（境界線と対峙する端部；内端６７ａ）とをつなげるようになっている。そして、この部分片６１から、第１Ｌ字部ＬＬ１の短手となる部分片６６に向かって、部分片６２・６３・６４・６５が、この順で（部分片６２→部分片６５）で、連なることで、第１延成部Ｇ１は構成されている。
【０１２９】
第２Ｌ字部ＬＬ２は、部分片７６と部分片７７とから構成されている。そして、この部分片７７は矩形状となっており、その長さ（長手；境界線と同程度の長さ）は、部分片７６の長さ（長手・短手）に対して長くなっている。そして、この部分片７７長手の一端に部分片７６が連結されるようになっている。具体的には、部分片７７長手の一端から、この部分片７７の長手方向に対して垂直方向に、部分片６６がつなげられるようになっている。
【０１３０】
そのため、これらの部分片６６と部分片６７とがつながった形状が、第１Ｌ字部同様、屈曲箇所（部分片７６と部分片７７との連結部分；屈曲部Ｚ）を有し、ローマ字のほぼＬ字のような形状となる。そのため、この部分片７６と部分片７７とから構成される部分は、上記のようにＬ字部ＬＬ（第２Ｌ字部ＬＬ２）と表現される。
【０１３１】
そして、この第２Ｌ字部ＬＬ２では、第１Ｌ字部の長手（部分片６７）の端部における外側（境界線から離間する側の端部；外端６７ｂ）に、部分片７６がつながるとともに、部分片７７の長手が境界線と平行となるようになっている。
【０１３２】
第２延成部Ｇ２は、部分片７１・７２・７３・７４・７５から構成されている。具体的には、部分片７１が、第１Ｌ字部ＬＬ１の屈曲部Ｚと、第２Ｌ字部の長手（部分片７７）の端部における内側（境界線と対峙する端部；内端７７ａ）とをつなげるようになっている。そして、この部分片７１から、第２Ｌ字部ＬＬ２の短手となる部分片７６に向かって、部分片７２・７３・７４・７５が、この順で（部分片７２→部分片７５）で、連なることで、第２延成部Ｇ２は構成されている。
【０１３３】
《他の底板ユニットでのＢＵ脚部領域からＢ脚部の組立工程について》
以上のように説明した底板Ｕ用脚部領域ＢＦＡを利用してＢ脚部を組立ていく。なお、実施の形態１同様、組立手順は一例であって、これに限定されるものではない。要は、Ｂ支持体（第１Ｂ支持体・第２Ｂ支持体）が組立られるとともに、このＢ支持体が被覆され、さらに、この被覆されたＢ脚部ＢＦ（第１Ｂ脚部・第２Ｂ脚部）が、底板Ｂに対して立ちあがるようになればよい。
【０１３４】
また、図１０における点線は折り曲げ線となっており、斜線部は開口となっている。また、第１領域となる第１延成部Ｇ１・第２延成部Ｇ２、および、第２領域となる第１Ｌ字部ＬＬ１および第２Ｌ字部ＬＬ２での実線は切断線となっている。なお、後述の説明では、全ての折り曲げ線は、紙面の裏から表側の方向へと折り曲げられるようになっている。
【０１３５】
《《他の底板ユニットでのＢ支持体の組立について》》
まず、Ｂ脚部ＢＦの母体となるＢ支持体（支持体）を組立る。Ｂ支持体（第１Ｂ支持体・第２Ｂ支持体）を構成するのは、第１延成部Ｇ１・第２延成部Ｇ２となっている。
【０１３６】
（他の底板ユニットでの第１Ｂ支持体の組立について）
以下のステップ２１〜２４までが、この順で行われる。
【０１３７】
（（ステップ２１））
部分片６５が、部分片６４と部分片６５との折り曲げ線に沿って、部分片６４の平面に対して垂直方向になるまで折り曲げられるようになっている。
【０１３８】
（（ステップ２２））
部分片６４が、部分片６３と部分片６４との折り曲げ線に沿って、部分片６３の平面に対して垂直方向になるまで折り曲げられるようになっている。すると、部分片６５と部分片６３とが対向するような位置関係となる。
【０１３９】
（（ステップ２３））
部分片６３が、部分片６２と部分片６３との折り曲げ線に沿って、部分片６２の平面に対して垂直方向になるまで折り曲げられるようになっている。すると、部分片６４と、部分片６２とが対向するような位置関係となるとともに、部分片６５が、部分片６２に対して垂直方向に立ち上がるような位置関係となる。
【０１４０】
（（ステップ２４））
部分片６２が、部分片６１と部分片６２との折り曲げ線に沿って、部分片６１の平面に対して垂直方向になるまで折り曲げられるようになっている。すると、部分片６５と、部分片６１とが重なり合うような位置関係となる。そこで、この部分片６５と部分片６１とが貼り合わされるようになっている。
【０１４１】
上記のステップ２１〜２４までの組立工程が完了すると、すると、部分片６１〜部分片６５で構成された筒状体が完成する。そして、この筒状体が、上記の第１Ｂ支持体となっている。
【０１４２】
（他の底板ユニットでの第２Ｂ支持体の組立について）
以下のステップ２１’〜２４’までが、この順で行われる。
【０１４３】
（（ステップ２１’））
部分片７５が、部分片７４と部分片７５との折り曲げ線に沿って、部分片７４の平面に対して垂直方向になるまで折り曲げられるようになっている。
【０１４４】
（（ステップ２２’））
部分片７４が、部分片７３と部分片７４との折り曲げ線に沿って、部分片７３の平面に対して垂直方向になるまで折り曲げられるようになっている。すると、部分片７５と部分片７３とが対向するような位置関係となる。
【０１４５】
（（ステップ２３’））
部分片７３が、部分片７２と部分片７３との折り曲げ線に沿って、部分片７２の平面に対して垂直方向になるまで折り曲げられるようになっている。すると、部分片７４と、部分片７２とが対向するような位置関係となるとともに、部分片７５が、部分片７２に対して垂直方向に立ち上がるような位置関係となる。
【０１４６】
（（ステップ２４’））
部分片７２が、部分片７１と部分片７２との折り曲げ線に沿って、部分片７１の平面に対して垂直方向になるまで折り曲げられるようになっている。すると、部分片７５と、部分片７１とが重なり合うような位置関係となる。そこで、この部分片７５と部分片７１とが貼り合わされるようになっている。
【０１４７】
上記のステップ２１’〜２４’までの組立工程が完了すると、すると、部分片７１〜部分片７５で構成された筒状体が完成する。そして、この筒状体が、上記の第２Ｂ支持体となっている。
【０１４８】
《《他の底板ユニットでのＢ脚部の組立について》》
上記した第１Ｂ支持体は、部分片６１上に位置するようになっている一方、第２Ｂ支持体は、部分片７１上に位置するようになっている。そこで、このＢ支持体８第１Ｂ支持体・第２Ｂ支持体）から、最終的なＢ脚部ＢＦを組立る。
【０１４９】
まず、部分片６７が、部分片６１・部分片６６と部分片６７との折り曲げ線に沿って、部分片６６の平面（すなわち底板Ｂ）に対して垂直方向になるまで折り曲げられるようになっている。
【０１５０】
次に、部分片７６・部分片７１が、部分片６７と部分片７６・部分片７１との折り曲げ線に沿って、部分片６７の平面に対して垂直方向になるまで折り曲げられるようになっている。すると、部分片７６は、第１Ｂ支持体の部分片６３と重なり合う位置関係となる一方、第２Ｂ支持体の部分片７３は、部分片６６と重なり合う位置関係となる。そこで、この部分片７６と部分片６３とが貼り合わされとともに、この部分片７３と部分片６６とが貼り合わされるようになっている。
【０１５１】
続いて、部分片７７が、部分片７６・部分片７１と部分片７７との折り曲げ線に沿って、部分片７６・部分片７１の平面に対して垂直方向になるまで折り曲げられるようになっている。すると、部分片７７および部分片６７は、ともに、底板Ｂに対して垂直方向に立ち上がるような位置関係となる。
【０１５２】
そして、さらに、部分片６１が、底板Ｂと部分片６１との折り曲げ線（境界線ＢＬ）に沿って、底板Ｂに対して垂直方向になるまで折り曲げられるとともに、部分片６６が、底板Ｂと部分片６６との折り曲げ線（境界線ＢＬ）に沿って、底板Ｂに対して垂直方向になるまで折り曲げられるようになっている。すると、部分片７７の裏面（図１０の紙面に対する裏側）が、底板Ｂと重なり合うような位置関係となる。そこで、部分片７７と底板Ｂとが貼り合わされるようになっている。
【０１５３】
その結果、図１１に示すように、Ｂ脚部ＢＦが底板Ｂに対して立ち上がったような底板ユニットＢＵが完成する。
【０１５４】
〔パレットの組立について〕
そして、この底板ユニットＢＵにおける底板Ｂと一定間隔離間しつつも、平行関係を保っている部分片６７上に、図１２に示すように、例えば一枚平面状の天板Ｔを貼り付ければ、パレット８９が完成するようになっている。
【０１５５】
なお、各部材を別表現すると、底板Ｕ用脚部領域ＢＦＡ内に２つの開口が設けられるようになっており、この開口を塞ぐように、第１延成部Ｇ１・第２延成部Ｇ２が設けられるようになっているともいえる。すると、第１延成部Ｇ１・第２延成部Ｇ２は、開口を塞ぐための部材（塞部材）といえ、第１Ｌ字部ＬＬ１・第２Ｌ字部ＬＬ２は、開口の外周端といえる。
【０１５６】
［その他の実施の形態］
なお、本発明は上記の実施の形態に限定されず、本発明の趣旨を逸脱しない範囲で、種々の変更が可能である。例えば折曲部材は、ダンボール等の紙製であったり、ブラスチック等の弾性部材であったりしてもよい。
【０１５７】
また、本発明のパレット８９の上面（天板Ｔ）には、貨物等が置かれるようになっている。しかし、非常に重量の重い貨物等もあり、天板Ｔが破損してしまうおそれもある。そこで、貨物等の載置される天板Ｔ等を補強すべく、補強板８７が天板Ｔに貼り付けられるようにしてもよい。
【０１５８】
補強板８７の一例としては、図１３のようなものが挙げられる。この補強板８７は、天板Ｔとほぼ同サイズの平面（補強平面）８７ａと、この補強平面８７ａを挟持するように、補強平面８７ａの端部に、折り曲げ可能な立設板８７ｂが設けられるようになっている。
【０１５９】
そして、図１４に示すように、この補強板８７の補強平面８７ａとパレット８９における天板Ｔとを貼り合わせると、図１５に示すようなパレット（補強板付きパレット）８９が完成する。
【０１６０】
なお、立設板８７ｂは、天板Ｔ上に載置された貨物等の周囲を囲むような筒状の部材（包囲部材）をパレット８９と連結させるための部材である。具体的には、不図示の固定具を介して、立設板８７ｂに設けられた連結開口８７ｃと、包囲部材にも同様に設けられた連結開口（不図示）とを連結させるようになっている。
【０１６１】
また、上述の説明において、部分片を貼り合わせるということは、必要な場合（例えば、強度向上や部分片同士の解離防止の場合）にのみ行えばよく、あらゆる部分片同士を貼り合わせる必要はない。また、貼り合わせの手段は、種々考えられ、接着剤等の使用、ホッチキスのような固着具の使用等が考えられる。
【０１６２】
また、実施の形態１では、図７に示すように、底板ユニットＢＵと天板ユニットＴＵとが貼り合わされるようになっているが、これに限定されるものではない。例えば、底板ユニットＢＵのＢ脚部ＢＦ上に、一枚状の天板を貼り合わせてもよいし、天板ユニットＴＵのＴ脚部ＴＦ上に、一枚状の底板を貼り合わせてもよい。
【０１６３】
つまり、パレット８９における全ての脚部Ｆが、天板Ｔあるいは底板Ｂを構成する一枚状の折曲部材から作り出される脚部Ｆ（ＢＦまたはＴＦ）となっている。そのため、天板Ｔ・底板Ｂを重ね合わせて貼り付けるときの煩わしさは低減される（例えば、底板用脚部ＢＦの形成された底板Ｂに、脚部のない天板Ｔのみを貼り合わせるだけでよいことになるためである）。
【０１６４】
また、天板ユニットＴＵに設けられた突起部８５と開孔部８６とから構成される解離防止セットは、天板ユニットＴＵ（Ｔ支持体の内部）にのみ設けられるものではなく、底板ユニットＢＵ（例えば、Ｂ支持体の内部）に設けられていても構わない。
【０１６５】
なお、脚部Ｆを構成する部分片の数（第１領域の部分片の数）は、上述した説明に限定されるものではない。要は、支持体（Ｂ支持体・Ｔ支持体）として、形成できるだけの数（３片以上）の部分片があればよい。
【０１６６】
また、同様に、第２領域となる第１Ｉ字部Ｉ１や第１長辺部Ｌ１・第２長辺部Ｌ２、第１短辺部Ｓ１・第２短辺部Ｓ２の部分片の数も限定されるものではない。要は、支持体の少なくとも一部でも被覆できる数であればよい。
【０１６７】
また、天板ユニットＴＵと底板ユニットＢＵとを入れ替えるようにしてもよい。つまり、天板ユニットＴＵを底部として使用するとともに、底板ユニットＢＵを天部として使用しても構わない。例え、このような使用を行ったとしても、本発明のパレットは、各ユニット（底板ユニットＢＵ・天板ユニットＴＵ）が、脚部Ｆと一体成形（一体化）されているので、従来に比べて、高強度となり、耐久性に優れている。
【０１６８】
また、脚部Ｆの内部に、パイプ片・ブロック片等を封入して、さらに強度を向上させることも可能である。
【０１６９】
なお、説明上使用した図面は簡易化されたものである。そのため、寸法等は適宜、好ましいように調整すればよい。
【産業上の利用可能性】
【０１７０】
貨物等を運搬するためのパレットに有用である。
【図面の簡単な説明】
【０１７１】
【図１】後述の図２の部分拡大図である。
【図２】本発明のパレットにおける底板ユニットの展開図である。
【図３】本発明のパレットにおける底板ユニットの斜視図である。
【図４】本発明のパレットにおける天板ユニットの展開図である。
【図５】図５の部分拡大図である。
【図６】本発明のパレットにおける天板ユニットの斜視図である。
【図７】本発明のパレットの分解斜視図である。
【図８】本発明のパレットの斜視図である。
【図９】図２の他の一例を示す底板ユニットの展開図である。
【図１０】図９の部分拡大図である。
【図１１】図３の他の一例を示す底板ユニットの斜視図である。
【図１２】図１１の底板ユニットに天板を貼り付けるときの説明図である。
【図１３】補強板の平面図である。
【図１４】本発明のパレットに補強板を貼り付けるときの説明図である。
【図１５】補強板付きのパレットの斜視図である。
【図１６】従来のパレットの斜視図である。
【図１７】従来の脚部の斜視図である。
【符号の説明】
【０１７２】
Ｂ    底板
Ｔ    天板
Ｆ    脚部
ＢＵ    底板ユニット
ＢＡ    底板領域
ＢＦ    底板用脚部（脚部）
ＢＦＡ  底板ユニット用脚部領域（脚部形成領域）
Ｓ１    第１短辺部（第２領域、開口の外周端）
Ｓ２    第２短辺部（第２領域、開口の外周端）
Ｅ    梁部（第２領域、開口の外周端）
Ｌ１    第１長辺部（第２領域、塞部材の子体）
Ｌ２    第２長辺部（第２領域、塞部材の子体）
Ｄ１    第１付加部（第１領域、塞部材の母体、支持体）
Ｄ２    第２付加部（第１領域、塞部材の母体、支持体）
ＴＵ    天板ユニット
ＴＡ    天板領域
ＴＦ    天板用脚部
ＴＦＡ  天板ユニット用脚部領域（脚部形成領域）
Ｉ１    第１Ｉ字部（第１領域、脚部形成領域の母体、支持体）
Ｉ２    第２Ｉ字部（第２領域、脚部形成領域の子体）
ＬＬ１  第１Ｌ字部（第２領域、開口の外周端）
ＬＬ２  第２Ｌ字部（第２領域、開口の外周端）
Ｇ１    第１延成部（第１領域、塞部材、支持体）
Ｇ２    第２延成部（第１領域、塞部材、支持体）
ＢＬ    境界線
Ｚ    屈曲部
８５    突起部
８６    開孔部
８９    パレット
【図１】
2006082856.tif 000003
【図２】
2006082856.tif 000004
【図３】
2006082856.tif 000005
【図４】
2006082856.tif 000006
【図５】
2006082856.tif 000007
【図６】
2006082856.tif 000008
【図７】
2006082856.tif 000009
【図８】
2006082856.tif 000010
【図９】
2006082856.tif 000011
【図１０】
2006082856.tif 000012
【図１１】
2006082856.tif 000013
【図１２】
2006082856.tif 000014
【図１３】
2006082856.tif 000015
【図１４】
2006082856.tif 000016
【図１５】
2006082856.tif 000017
【図１６】
2006082856.tif 000018
【図１７】
2006082856.tif 000019